(57)【要約】【課題】低コストで導入できる血圧計の提供。【解決手段】血圧計は、気圧計を備えた携帯機器の少なくとも前記気圧計を収容して計測室を構成する収容手段と、被測定者の部位に巻き、手動又は自動で加減圧されるカフと、前記カフからの圧を前記計測室に導く連通手段と、を備える。そして、前記携帯機器の表示装置を、前記気圧計にて測定された値を表示する表示部として利用して血圧測定を行う。【選択図】図１
2019017865.tif 000002
【特許請求の範囲】
【請求項１】
気圧計を備えた携帯機器の少なくとも前記気圧計を収容して計測室を構成する収容手段と、
被測定者の部位に巻き、手動又は自動で加減圧されるカフと、
前記カフからの圧を前記計測室に導く連通手段と、を備え、
前記携帯機器の表示装置を、前記気圧計にて測定された値を表示する表示部として利用する血圧計。
【請求項２】
さらに、コロトコフ音又は脈波を入力するセンサと、
前記センサにて入力された情報を前記携帯機器に送る通信手段と、を備えた請求項１の血圧計。
【請求項３】
前記携帯機器において、
前記コロトコフ音を音声またはその波形を映像で出力し、利用者が前記値を読み取ることで血圧を測定する手動計測、又は、前記携帯機器に搭載されたアプリケーションプログラムにより、前記コロトコフ音の相を識別し、血圧を測定する自動計測のいずれかを選択可能である請求項２の血圧計。
【請求項４】
前記携帯機器において、
前記脈波をその波形を映像で出力し、利用者が前記脈波の変化を読み取ることで血圧を測定する手動計測、又は、前記携帯機器に搭載されたアプリケーションプログラムにより、前記脈波の変化に基づいて血圧を測定する自動計測のいずれかを選択可能である請求項２の血圧計。
【請求項５】
前記収容手段は、
前記携帯機器の前記気圧計が配置された筐体の一部を収容するホルダー部と、
前記ホルダー部と、前記携帯機器の筐体と密着させて前記計測室を構成するシーリング部と、を含んで構成されている請求項１から４いずれか一の血圧計。
【請求項６】
さらに、前記自動で加減圧を行う加減圧装置を備え、
前記携帯機器に搭載されたアプリケーションプログラムにより、操作ガイダンスの出力と、前記操作ガイダンスに沿った計測を行う請求項１から５いずれか一の血圧計。
【請求項７】
気圧計を備えた携帯機器の前記気圧計を収容して計測室を構成する収容手段と、
カフと前記計測室を直接又は間接的に連通させる連通口と、
を備えた携帯機器用アタッチメント。
【請求項８】
気圧計を備えた携帯機器を収容して計測室を構成する収容手段と、
カフと前記計測室を直接又は間接的に連通させる連通口と、
を備えた携帯機器の収納ケース。
【発明の詳細な説明】
【技術分野】
【０００１】
本発明は、血圧計、携帯機器用アタッチメント及び携帯機器の収納ケースに関し、特に、携帯機器と連携動作する血圧計、携帯機器用アタッチメント及び携帯機器の収納ケースに関する。
【背景技術】
【０００２】
特許文献１に、ユーザーの健康に関するパラメータの測定結果を得ることができるという個人用ハンドヘルドモニタという装置が開示されている。同文献には、血圧を測定するために、
ボタン、パッド又はストラップといった血流閉塞手段を用いることが開示されている。また、同文献には、脈波伝播速度、脈容量、血圧測定及び脈拍数という４つの異なるタイプのデータを組み合わせることにより血圧を推定することができることが記載されている。
【０００３】
特許文献２には、血圧計などを測定可能な生体情報測定装置と、この生体情報測定装置にて測定された測定データを、端末装置を介して、サーバ装置に送信し、遠隔診断等に利用する構成が開示されている。
【先行技術文献】
【特許文献】
【０００４】
【特許文献１】特開２０１７−９４１０６号公報
【特許文献２】特開２０１５−１２８６０３号公報
【発明の概要】
【発明が解決しようとする課題】
【０００５】
以下の分析は、本発明によって与えられたものである。上記特許文献１、２に示されているように、身近な機器で血圧などの生体情報を測定し、個人の健康管理に用いることが可能となっている。しかしながら、例えば、特許文献１のような個人用ハンドヘルドモニタや、特許文献２のような生体情報測定装置は、センサや情報処理装置が一体となっているため装置価格が高額になってしまうという問題点がある。
【０００６】
本発明は、ユーザーの身近にある気圧計付きの機器を利用して、低コストで導入できる血圧計、携帯機器用アタッチメント及び携帯機器の収納ケースを提供することを目的とする。
【課題を解決するための手段】
【０００７】
第１の視点によれば、気圧計を備えた携帯機器の少なくとも前記気圧計を収容して計測室を構成する収容手段と、被測定者の部位に巻き、手動又は自動で加減圧されるカフと、前記カフからの圧を前記計測室に導く連通手段と、を備え、前記携帯機器の表示装置を、前記気圧計にて測定された値を表示する表示部として利用する血圧計が提供される。
【０００８】
第２の視点によれば、気圧計を備えた携帯機器の前記気圧計を収容して計測室を構成する収容手段と、カフと前記計測室を直接又は間接的に連通させる連通口と、を備えた携帯機器用アタッチメントが提供される。
【０００９】
第３の視点によれば、気圧計を備えた携帯機器を収容して計測室を構成する収容手段と、カフと前記計測室を直接又は間接的に連通させる連通口と、を備えた携帯機器の収納ケースが提供される。
【発明の効果】
【００１０】
本発明によれば、低コストで血圧計を導入することが可能となる。
【図面の簡単な説明】
【００１１】
【図１】本発明の一実施形態の構成を示す図である。
【図２】本発明の第１の実施形態の構成を示す図である。
【図３】本発明の第１の実施形態の携帯機器用ホルダー（スタンド）の断面模式図である。
【図４】本発明の第１の実施形態の携帯機器用ホルダー（スタンド）に携帯機器を挿入した状態を示す断面模式図である。
【図５】本発明の第１の実施形態の血圧計の使用方法を説明するための図である。
【図６】図５の続図である。
【図７】本発明の第２の実施形態の構成を示す図である。
【図８】本発明の第２の実施形態の血圧計の動作を説明するための図である。
【図９】本発明の第３の実施形態の構成を示す図である。
【図１０】本発明の第４の実施形態の構成を示す図である。
【図１１】本発明の第４の実施形態の血圧計の動作を説明するための図である。
【図１２】本発明の第５の実施形態の構成を示す図である。
【図１３】本発明の第５の実施形態の血圧計の動作を説明するための図である。
【図１４】本発明の第６の実施形態を説明するための図である。
【発明を実施するための形態】
【００１２】
はじめに本発明の一実施形態の概要について図面を参照して説明する。本発明は、その一実施形態において、図１に示すように、収容手段１００Ａと、携帯機器２００Ａと、カフ（マンシェット）３００と、ポンプ（Ｐ）５００と、を含む構成にて実現できる。
【００１３】
携帯機器２００Ａは、気圧計２１０を備える。また、この携帯機器２００Ａは、気圧値をリアルタイムに表示する気圧計用アプリケーションプログラム等を搭載している。このような携帯機器としては、例えば、気圧計を備えたスマートフォン、登山等に用いる気圧測定機能付きのデジタルコンパスや高度計、気圧測定機能付きの腕時計等を用いることができる。
【００１４】
収容手段１００Ａは、携帯機器２００Ａの前記気圧計を収容して計測室を構成する気密ケース等によって構成される。
【００１５】
カフ（マンシェット、以下、単に「カフ」という。）３００は、血圧の被測定者の腕等に巻き付け、空気圧により被測定者の血管を圧迫するためのゴム製の袋体（ゴム嚢）を備えたバンドである。カフ３００は、連通手段１２０により、収容手段１００Ａによって構成された計測室と連通している。
【００１６】
ポンプ（Ｐ）５００は、カフ３００に空気を送りこむための手動または自動（電動）のポンプである。なお、減圧は、ポンプ（Ｐ）５００に備えられたバルブ（排気弁）を解放して行うこととしてもよいし、カフ３００や連通手段１２０を構成する連通管（チューブ）の任意の箇所にバルブ（排気弁）を設ける構成も採用可能である。
【００１７】
上記構成にて、表示部として携帯機器を用いる間接式（非観血式）の血圧計が構成される。まず、携帯機器２００Ａの気圧計用アプリケーションプログラム等を用いて、気圧値をリアルタイムに表示する状態にセットする。次に、ポンプ（Ｐ）５００を用いて、手動または自動（電動）で、カフ３００に空気を送り込むと、連通手段１２０を介して、収容手段１００Ａによって構成された計測室も加圧される。携帯機器２００Ａにて測定された気圧が所定の測定開始圧に達した後、前記バルブ（排気弁）を開放して所定の速度で減圧する。この減圧中に、聴診法、オシロメトリック法、触診法に基づいたタイミングで、携帯機器２００に表示される血圧値を読み取ることで、血圧の測定を行うことができる。
【００１８】
なお、気圧計用アプリケーションプログラムは、一般のヘクトパスカル表示のものよりは、ｍｍＨｇ（水銀柱ミリメートル）による表示を行う血圧測定用モードを備えたものが好ましい。もちろん、血圧測定専用のアプリケーションプログラムでもよいが、市販の気圧測定用アプリケーションプログラムに、ｍｍＨｇ（水銀柱ミリメートル）表示への切り替え機能を追加したものであってもよい。
【００１９】
［第１の実施形態］
続いて、前述の携帯機器として気圧計を内蔵したスマートフォンを用いた本発明の第１の実施形態について図面を参照して詳細に説明する。図２は、本発明の第１の実施形態の構成を示す図である。
【００２０】
図２を参照すると、スマートフォンを載置するスタンド１００と、カフ３００と、バルブ４１０付き送気球４００とを連通管（チューブ）で接続した構成が示されている。
【００２１】
スタンド１００は、スマートフォンを立てた状態で保持するための容器状のスタンドであり、その下部が気密構造の計測室を構成可能となっている。スタンド１００の詳細構成は、後に図３、図４を用いて詳細に説明する。
【００２２】
カフ３００及び送気球４００は、聴診法、オシロメトリック法で用いられるカフと送気球の組み合わせである。送気球４００を握ると、逆止め弁により空気が押しだされ、カフ３００内のゴム嚢に空気が送られる。また、カフ３００内のゴム嚢は、連通管（チューブ）を介して、スタンド１００の下部の計測室と連通している。
【００２３】
ここで、スタンド１００の構成について説明する。図３は、本実施形態の携帯機器用ホルダー（スタンド）を平面図で見て長辺を横断する方向に切断した断面模式図である。図３を参照すると、スタンド１００は、スマートフォンの下部を収容するホルダー部１０１と、スマートフォンの筐体と密着させて前記計測室を構成するシーリング部１０２と、スマートフォンの下部コネクタに対応するオスコネクタ状のガイド部１０３とを備えている。
【００２４】
シーリング部１０２は、例えば、ホルダー部１０１に差し込まれたスマートフォンの下部を囲繞する弾性環状部材によって構成される。シーリング部１０２の材質としては、例えば、シリコンやゴムを用いることができる。また、ホルダー部１０１は、気密性を保てれば良く、シーリング部１０２と同一部材であってもよいし、あるいは、樹脂等の軽量、安価な材質を用いてもよい。
【００２５】
ガイド部１０３は、スマートフォンの下部コネクタに差し込まれた状態となることで、スマートフォンが血圧測定に適切な位置となるような位置に配置される。
【００２６】
図４は、上記スタンド１００に携帯機器２００Ａとしてのスマートフォンを挿入した状態を示す断面模式図である。スマートフォンをホルダー部１０１に差し込んでいくと、シーリング部１０２に当接し、さらに、スマートフォンを押しこむと、シーリング部１０２が図４の下方に撓みながら、スマートフォンの下部筐体と当接し、気密空間（計測室）を形成する。スマートフォンの下部コネクタがガイド部１０３に嵌合するまで押し込むと、スマートフォンは、倒れにくい適正位置にセットされる。以上により間接式の血圧計が構成されることになる。
【００２７】
図５は、上記のようにして構成された間接式の血圧計の動作を説明するための図である。事前に、スマートフォンに搭載された気圧計用アプリケーションプログラムを動作させた状態で、送気球４００を操作して、カフ３００に空気を送ると、カフ３００に連通するスタンド１００の下部空間（計測室）も、気圧が上がっていく。
【００２８】
気圧計用アプリケーションプログラムにより、スマートフォンに表示された圧力値が所定の圧に達した段階で、加圧操作を停止する。このとき、スタンドのシーリング部１０２は、外気との気圧差により押し上げられ、スタンド１００の下部空間（計測室）を確実に閉塞する。
【００２９】
その後、図６に示すように、バルブ４１０を開いて減圧を開始する。減圧の速度は、例えば、１拍動につき２ｍｍＨｇ下げる程度の速度であることが好ましい。この減圧の過程で、カフ３００によって閉塞されていた被測定者の血管が開き、所謂コロトコフ音（ｋ音）が発生する。これを聴診器６００で聞き取りながら、スマートフォンに表示された圧力値を読み取ることで、最高血圧（収縮期血圧）と最低血圧（拡張期血圧）を計測することができる。さらに減圧を続けると、最終的に、スタンド１００の下部空間（計測室）が外気圧と同一になる。この段階で、スタンドのシーリング部１０２を押し上げていた力（気圧差）はなくなるため、スマートフォンを比較的簡単に引き抜くことが可能となる。
【００３０】
以上、説明したように、本実施形態によれば、スマートフォンに代表される気圧計を備えた携帯機器を、間接式の血圧計の表示部として用いることが可能となる。また、上記した説明からも明らかなように、この血圧計において、計測者が用意する必要があるのは、一般的に用いられているカフと送気球と、スタンド１００と、これらを接続するチューブであり、特許文献１、２のような専用機器を用いる構成に比べて、極めて安価に調達することが可能である。
【００３１】
なお、上記した第１の実施形態で用いることのできるスマートフォンは、以下の２条件を備えている必要がある。第１の条件は、気圧計の通気用の孔がスマートフォンの下部筐体に配置されていることである。第２の条件は、スマートフォン自体が防水構造である等、スマートフォンの筐体が少なくとも血圧測定時に通気用の孔から進入する圧に耐えられる程度の気密構造を有している必要がある。このような気圧計を備える携帯機器としては、Ａｐｐｌｅ社のｉＰｈｏｎｅ（登録商標）６シリーズ以降を挙げることができる。
【００３２】
本発明の原理に照らせば、本発明を適用可能なスマートフォンは上記のタイプに限られない。例えば、筐体側面に気圧計の通気用の孔が配置されているスマートフォンの場合、少なくとも当該筐体側面を収容する収容手段として機能するカバーや専用ケースを用いることで、本発明を適用することが可能である。また、筐体が気密構造を有していない携帯機器については、後記する第４の実施形態のように、携帯機器の全体を収容するカバーや専用ケースを用いることで、本発明を適用することが可能である。
【００３３】
［第２の実施形態］
続いて、聴診器の代わりに携帯機器を用いる本発明の第２の実施形態について図面を参照して詳細に説明する。図７は、本発明の第２の実施形態の構成を示す図である。図７を参照すると、スマートフォンを載置するスタンド１００と、カフ３００ａと、バルブ４１０付き送気球４００とを連通管（チューブ）で接続した構成が示されている。
【００３４】
図２に示した第１の実施形態と異なる点は、カフ３００ａにマイク（音声入力手段）３０１と、通信手段の一形態としての送信機３０２が追加されている点である。その他の構成及び動作は第１の実施形態と同様であるので、以下、その相違点を中心に説明する。
【００３５】
マイク３０１は、血圧測定中の被測定者の血管が閉塞状態から完全開放状態に至る過程で観測される所謂コロトコフ音（ｋ音）を測定するためのマイクである。マイク３０１は、カフ３００ａの長手方向の縁の付近などに、血圧測定上、適切な位置に配置しやすいような位置に配置される（カフ３００ａを腕に巻いた状態で、肘関節の内側の肘関節から中枢側２〜３ｃｍ、上腕動脈の上が良いとされている）。
【００３６】
送信機３０２は、Ｗｉｆｉ（登録商標）規格やＢｌｕｅｔｏｏｔｈ（登録商標）規格に準拠した通信モジュールを含んで構成され、スマートフォン側にマイク３０１から入力された音声データを送信する。なお、送信機３０２に搭載される通信モジュールが採用する通信方式は、スマートフォン側に音声データをリアルタイムに送信可能なものであればよく、Ｗｉｆｉ（登録商標）やＢｌｕｅｔｏｏｔｈ（登録商標）に限られない。
【００３７】
本実施形態における血圧測定の動作は、基本的には第１の実施形態と同様である。図８は、上記のようにして構成された間接式の血圧計の動作を説明するための図である。事前に、スマートフォンに搭載された気圧計用アプリケーションプログラムを動作させた状態で、送気球（図示省略）を操作して、カフ３００ａに空気を送ると、カフ３００ａに連通するスタンド１００の下部空間（計測室）も、気圧が上がっていく。
【００３８】
気圧計用アプリケーションプログラムにより、スマートフォンに表示された圧力値が所定の圧に達した段階で、加圧操作を停止する。その後、バルブ（図示省略）を開いて減圧を開始すると、カフ３００ａによって閉塞されていた被測定者の血管が開き、所謂コロトコフ音（ｋ音）が発生する。送信機３０２は、マイク３０１にて入力された音声を、スマートフォン側に送信する。スマートフォンは、送信機３０２から受信した音声を出力する。
【００３９】
本実施形態において血圧測定の方法は、いくつかの態様を採りうる。第１の方法としては、スマートフォンのスピーカーを音声出力手段として用いて、コロトコフ音（ｋ音）を聞きながら、スマートフォンに表示された圧力値を読み取ることで、最高血圧と最低血圧を計測する方法を採ることができる。また、第２の方法としては、スマートフォンの表示部（液晶ディスプレイ等）を音声のイメージ出力手段として用いて、イメージ化されたコロトコフ音（ｋ音）の振幅波形（図８の符号２２０参照）を見ながら、スマートフォンに表示された圧力値を読み取ることで、最高血圧と最低血圧を計測する方法を採ることができる。
【００４０】
また、以上のような手動で血圧を測定する方法に代えて、コロトコフ音（ｋ音）の波形解析機能を備えた血圧測定アプリケーションプログラム（以下、「血圧測定アプリ」）をスマートフォン上で動作させ、この血圧測定アプリを用いて、最高血圧と最低血圧を計測する方法も採用可能である。コロトコフ音（ｋ音）の波形解析機能としては、コロトコフ音（ｋ音）の振幅の変化から、コロトコフ音（ｋ音）の相を識別し、最高血圧と最低血圧を特定する方法を用いてもよいし、イメージ化された波形を用いて、コロトコフ音（ｋ音）の相を識別し、最高血圧と最低血圧を特定する方法を用いることもできる。もちろん、音声の波形解析とイメージ化した波形の解析の両者を併用しても良い。
【００４１】
［第３の実施形態］
続いて、上記第２の実施形態に小変更を加えた第３の実施形態について図面を参照して詳細に説明する。図９は、本発明の第３の実施形態の構成を示す図である。図７に示した第２の実施形態との相違点は、送信機３０２ａとスマートフォンが有線で接続されている点である。
【００４２】
基本的な動作は第２の実施形態と同様であり、本構成においても、手動又は自動の血圧測定を実施することが可能である。図９に示した形態では、カフ３００ｂとスタンド１００を連結する連通管に信号線を通しているので、スタンド１００に信号線用の開口を設ける必要が無いという利点がある。もちろん、スマートフォンと送信機３０２ａ間の接続はこの形態に限られず、スタンド１００に信号線用の別の開口を設けて、スマートフォンと送信機３０２ａ間を連通管とは独立した経路で接続してもよい。
【００４３】
［第４の実施形態］
上記した第１の実施形態で説明したように、第１〜第３の実施形態に用いることのできるスマートフォンは、筐体の下部に気圧計の通気口が設けられていることなどの制約がある。そこで、第４の実施形態として、気圧計を備えた携帯機器全般に適用可能とした構成を説明する。
【００４４】
図１０は、本発明の第４の実施形態の構成を示す図である。図２以下に示した第１〜第３の実施形態と大きく異なるのは、収容手段として、スタンド１００ではなく、気密ケース１５０を用い、計測室を構成している点である。
【００４５】
気密ケース１５０は、気圧計２１０を備えた携帯機器全体を収容可能なケース（収納ケース）に、連通手段１２０としての連通管（チューブ）の接続口を設けた構成となっている。なお、このようなケースとしては、例えば、スマートフォン等を収容するハードタイプやソフトタイプの防水ケースに、連通管（チューブ）の接続口を追加することで実現できる。
【００４６】
基本的な動作は第１〜第３の実施形態と同様であり、本構成においても、手動又は自動の血圧測定を実施することが可能である。図１１に示すように、事前に、スマートフォンに搭載された気圧計用アプリケーションプログラムを動作させた状態で、送気球４００を操作して、カフ３００に空気を送ると、カフ３００に連通する気密ケース１５０（計測室）も、気圧が上がっていく。
【００４７】
気圧計用アプリケーションプログラムにより、スマートフォンに表示された圧力値が所定の圧に達した段階で、加圧操作を停止する。その後、バルブ４１０を開いて減圧を開始すると、カフ３００によって閉塞されていた被測定者の血管が開き、所謂コロトコフ音（ｋ音）が発生する。送信機３０２は、マイク３０１にて入力された音声を、スマートフォン側に送信する。スマートフォンは、送信機３０２から受信した音声を出力する。
【００４８】
本実施形態においても第２の実施形態と同様に、いくつかの血圧測定の方法を採りうる。第１の方法としては、スマートフォンのスピーカーを音声出力手段として用いて、コロトコフ音（ｋ音）を聞きながら、スマートフォンに表示された圧力値を読み取ることで、最高血圧と最低血圧を計測する方法を採ることができる。また、第２の方法としては、スマートフォンの表示部（液晶ディスプレイ等）を音声のイメージ出力手段として用いて、イメージ化されたコロトコフ音（ｋ音）の波形（図１１のスマートフォン画面参照）を見ながら、スマートフォンに表示された圧力値を読み取ることで、最高血圧と最低血圧を計測する方法を採ることができる。もちろん、マイク３０１と送信機３０２の代わりに、第１の実施形態と同様に、聴診器を用いてもよいし、第３の実施形態と同様に、送信機３０２と携帯機器を有線で接続してもよい。
【００４９】
以上説明したように、本実施形態によれば、気圧計を備えた携帯機器全般を間接式の血圧計の表示部として用いることが可能となる。
【００５０】
［第５の実施形態］
上記した第１〜第４の実施形態では、主として聴診法を用いて血圧を測定するものとして説明したが、本発明は、先にも記載したとおりオシロメトリック法による血圧測定にも適用可能である。以下、オシロメトリック法による血圧測定を実施する第５の実施形態を説明する。
【００５１】
図１２は、本発明の第５の実施形態の構成を示す図である。図１２を参照すると、スタンド１００と、カフ３００を接続する連通管上に、脈波センサ５０１と、送信機５０２とを設けた構成が示されている。その他の構成及び動作は第１の実施形態と同様であるので、以下、その相違点を中心に説明する。
【００５２】
脈波センサ５０１は、血圧測定中の被測定者の血管が閉塞状態から完全開放状態に至る過程で、心臓の拍動に同調した血管壁の振動を反映したカフ圧の変動（圧脈波）を測定するためのセンサである。
【００５３】
送信機５０２は、スマートフォン側に脈波センサ５０１から入力された圧脈波データを送信する。なお、送信機５０２に搭載される通信モジュールが採用する通信方式は、スマートフォン側に圧脈波データをリアルタイムに送信可能なものであればよく、Ｗｉｆｉ（登録商標）やＢｌｕｅｔｏｏｔｈ（登録商標）などを好適に用いることができる。
【００５４】
本実施形態においても第２、第４の実施形態と同様に、いくつかの血圧測定の方法を採りうる。第１の方法としては、スマートフォンの表示部（液晶ディスプレイ等）を圧脈波のイメージ出力手段として用いて、イメージ化された圧脈波の波形（図１３の符号２２０参照）を見ながら、スマートフォンに表示された圧力値を読み取ることで、最高血圧と最低血圧を計測する方法を採ることができる。なお、図１２の例では、スタンド１００と、カフ３００を接続する連通管上に、脈波センサ５０１を配置した例を説明したが、脈波センサとして光電式センサを用いる場合、脈波センサ５０１はカフ側に配置されることになる。
【００５５】
また、圧脈波の波形解析機能を備えた血圧測定アプリケーションプログラム（以下、「血圧測定アプリ」）をスマートフォン上で動作させ、この血圧測定アプリを用いて、最高血圧と最低血圧を計測する方法も採用可能である。
【００５６】
さらに、本実施形態において、自動でカフ３００の加減圧を行う加減圧装置を設けても良い。そして、前記血圧測定アプリに、被測定者への操作ガイダンスを出力させて、この操作ガイダンスに沿った計測を行う自動計測を行わせてもよい。例えば、血圧測定アプリにより、スマートフォンを介して、「カフを腕に巻いてください。カフを巻き終わったら「計測開始」ボタンを押して下さい。」との文字や音声を出力させる。その後、被測定者が、スマートフォン上で「計測開始」ボタンを起動すると、血圧測定アプリがスマートフォンに、被測定者をリラックスさせるような映像や音楽を出力させて、その間に計測を実施するというような自動計測が実現される。
【００５７】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００５８】
例えば、上記した各実施形態では、携帯機器として、スマートフォンを用いる例を挙げて説明したが、本発明の血圧計において、表示部として利用可能な機器はスマートフォンに限られない。例えば、図１４に示すように、気密ケース１５０に、気圧計２１０付きの腕時計２００Ｂを収納することで、上記した第２〜第５の実施形態と同様に、コロトコフ音（ｋ音）や圧脈波を用いた血圧測定を行うことが可能となる。
【００５９】
例えば、上記した各実施形態では、カフを加減圧する手段として、送気球を用いる例を挙げて説明したが、送気球に代えて、電動ポンプ等を用いることも可能である。
【００６０】
例えば、上記した各実施形態では、上腕に巻くタイプのカフを例示して説明したが、指カフなど、その他の部位に巻くカフを用いても良い。
【００６１】
また、上記した各実施形態では、携帯機器用アタッチメントとして、スタンドタイプのものを例示したが、携帯機器に搭載された気圧計を収容して計測室を構成可能なものであれば、その形態はスタンドタイプに限定されない。例えば、携帯機器に装着して、平置きにして用いる携帯機器用アタッチメントであってもよい。
【００６２】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００６３】
１００  スタンド
１００Ａ  収容手段
１０１  ホルダー部
１０２  シーリング部
１０３  ガイド部
１２０  連通手段
１５０  気密ケース
２００Ａ  携帯機器
２００Ｂ  気圧計付き腕時計
２１０  気圧計
２２０  コロトコフ音振幅波形
３００、３００ａ、３００ｂ  カフ（マンシェット）
３０１  マイク
３０２、３０２ａ  送信機
４００  送気球
４１０  バルブ
５００  ポンプ（Ｐ）
５０１  脈波センサ
５０２  送信機
６００  聴診器
【図１】
2019017865.tif 000003
【図２】
2019017865.tif 000004
【図３】
2019017865.tif 000005
【図４】
2019017865.tif 000006
【図５】
2019017865.tif 000007
【図６】
2019017865.tif 000008
【図７】
2019017865.tif 000009
【図８】
2019017865.tif 000010
【図９】
2019017865.tif 000011
【図１０】
2019017865.tif 000012
【図１１】
2019017865.tif 000013
【図１２】
2019017865.tif 000014
【図１３】
2019017865.tif 000015
【図１４】
2019017865.tif 000016